(57)【特許請求の範囲】
【請求項１】
予め、放送されてくるＣＭ部と本編部とを含む番組を情報記録媒体に記録する一方、前記番組のステレオモードが継続する時間が所定時間以内の場合に、その番組の経過時間に対応してＣＭ時間及び前記情報記録媒体に記録されている前記ＣＭ部のアドレス情報を記憶部に記憶し、前記情報記録媒体に記録されている番組を再生する際に、前記ＣＭ部をスキップして前記番組内容を視聴する映像信号再生装置において、
前記情報記録媒体に記録されている前記番組内容を再生する再生部と、
前記情報記録媒体に記録されている前記番組内容を所望の速度で再生する指示信号を出力する操作部と、
前記指示信号が前記番組内容を所定の再生速度以下で再生する指示信号である場合には、前記再生部に前記記憶部に記憶されている前記ＣＭ部のアドレス情報を検出して前記記憶部に記憶されている前記ＣＭ時間だけ前記ＣＭ部をスキップし、前記本編部のみを再生させるための制御信号を出力し、前記所定の再生速度を超えて再生する指示信号である場合には、前記再生部に前記本編部と前記ＣＭ部の両方を再生させるための制御信号を出力する制御部と、
を備えたことを特徴とする映像信号再生装置。
【請求項２】
予め、放送されてくるＣＭ部と本編部とを含む番組を情報記録媒体に記録する一方、前記番組のステレオモードが継続する時間が所定時間以内の場合に、その番組の経過時間に対応するＣＭ時間及び前記情報記録媒体に記録されている前記ＣＭ部のアドレス情報を記憶部に記憶し、前記情報記録媒体に記録されている番組を再生する際に、前記ＣＭ部をスキップして前記番組内容を視聴する映像信号再生装置において、
前記情報記録媒体に記録されている前記番組内容を再生する再生部と、
前記情報記録媒体に記録されている前記番組内容を所定時間スキップさせて再生するスキップ信号を出力する操作部と、
前記スキップ信号によりスキップして前記番組内容を再生する信号が前記ＣＭ部の途中から再生する信号である場合、或いは前記ＣＭ部に引き続いた前記本編部の先頭から所定時間経過した前記本編部の途中から再生する信号である場合には、前記記憶部に記憶されている前記ＣＭ部のアドレス情報を検出して前記記憶部に記憶されている前記ＣＭ時間に基づいて、前記ＣＭ部に引き続いた前記本編部の先頭にスキップして前記再生部に前記本編部のみを再生させるための制御信号を出力する制御部と、
を備えたことを特徴とする映像信号再生装置。
【発明の詳細な説明】
【０００１】
【発明の属する技術分野】
本発明は、ハードディスクなどのランダムアクセス可能な情報信号記録媒体に映像と音声を記録し、後追い再生、キャッシュ録再、変速再生などの再生機能に対しても、記録されるコマーシャルメッセージ（以下ＣＭとする）をスキップして番組本編部のみの再生を行うことができる映像信号再生装置に関する。
【０００２】
【従来の技術】
現在放送されているテレビジョン放送において映像信号に付随して送出される音声信号のモードとしてモノラル、二カ国語、ステレオ放送の３モードがあり、放送される番組に応じてこれらの３モードの中から適当な１つのモードが選択され、その選択された音声モードの音声信号とともに映像信号が放送されている。
【０００３】
そして、これらの音声が付随されて放送される番組は、番組本編（以下本編とする）にＣＭ部分が挿入されて送出されるが、そのＣＭ部分と本編部分の音声モードは異なるモードで放送されるケースが多く、現在市販されているＶＴＲは、その音声モードの違いを検出してＣＭ部が録画されないようにするＣＭカット機能を搭載している。
【０００４】
その、放送される音声多重モードの違いを利用してＣＭ部分と本編部分を区別する方法は低コストで実現できるため家庭用ＶＴＲに多く用いられており、それは一般的にＣＭ部はステレオ音声モードで放送されることを利用し、本編がモノラル音声もしくは二カ国語音声の場合にステレオ音声モードの部分をＣＭ部とみなして録画しないようにしている。
【０００５】
一方、従来は映像信号の記録再生にＶＴＲが用いられているが、今後は映像信号などを符号化して得られる符号化ビットストリームをアクセス性の優れたハードディスクなどの情報信号記録媒体に記録し、再生する多機能な映像信号記録再生装置の導入がなされる。
【０００６】
即ち、その情報信号記録媒体を用いる映像信号記録再生装置は、記録された信号のアクセス時間が短いため、複数の番組を同時に記録できる、また既に記録を開始している番組の記録を継続しながら、再生は放送中の番組に追いつく様にして視聴する追っかけ再生などの機能を有するものである。
【０００７】
そして、この様な機能を有する映像信号記録再生装置は、例えば本編部、ＣＭ部などの情報の種別を管理情報として、その情報信号記録媒体の映像音声情報とは異なる記録位置に記録しておき、記録された情報信号の再生はこの管理情報を用い、番組内におけるＣＭ部分の再生をスキップするなどの機能を搭載する記録再生装置も実現されている。
【０００８】
【発明が解決しようとする課題】
ところで、従来の家庭用ＶＴＲで、ＣＭ部分を除いて録画するときは、それによる誤動作を防ぐ必要がある。
すなわち、番組の本編部がステレオ音声モードの場合はＣＭ部分と本編部分の識別が音声多重のモードだけからは困難であるため、ＣＭカット機能を動作させることができないのみならず、誤ってＣＭカット機能を設定したときなどは、ＶＴＲは本編部の最初の部分をＣＭ部と判断し、本編の録画を開始しないなどの問題がある。
【０００９】
その問題は、記録媒体にアクセス時間の短い円盤状記録媒体を用いるディスク記録再生装置においても同様であり、従来のディスク再生装置は番組の記録中にＣＭ検出手段によりＣＭ期間を検出し、検出されたＣＭ期間情報をマイコンにより管理される一時記憶メモリーに蓄積し、蓄積されたＣＭ期間情報は番組の記録終了時点でディスクの所定の位置に記録するようにしていた。
【００１０】
このＣＭ期間情報の記録方法は、ＭＤ（Mini Disc；光磁気記録媒体を用い、主に音声情報を記録するオーディオ装置に用いられる）の記録方式においてなされている、記録終了時に管理情報をＴＯＣ（Table of Contents）情報として、その記録媒体の所定の位置に書き込む方法と同様のものである.。
【００１１】
従来のディスク型記録再生装置では、ＣＭ期間情報を、番組の記録終了時に記録媒体に記録し、その記録媒体の再生は、記録された管理情報を再生時に読み出して行なうが、読み出したディスク管理情報、例えばＣＭ期間情報は記録途中においても記録装置内の一時記憶メモリに一時記憶されているものの、それらのＣＭ期間情報を用いる、ＣＭカット、ＣＭスキップ再生はなされていなかった。
【００１２】
そして、ハードディスクを用いた記録再生装置により実現される後追い再生（現在記録中の番組を記録しながら過去に記録した部分を同時に再生する）や、キャッシュ録再（所定の時間分のビットストリーム記録領域に順次映像音声情報を記録し、その領域の最後まで記録したときは、領域中の一番古い記録に対して新しい情報を上書きして記録するようにし、所定時間分の映像音声情報を過去にさかのぼって再生する）のような、番組の記録が完了してから再生するのではなく、番組の一部が記録されている途中の状態で再生が行われる再生の場合には、ＣＭスキップは行えなかった。
【００１３】
そこで本発明は、本編部と共に放送されるＣＭ部をハードディスクに記録する際に、ＣＭ部位置情報も併せて記録し、そのＣＭ部位置情報を再生することによりＣＭ部を特定し、後追い再生、及びキャッシュ録再時においても、特定されたＣＭ部位置情報に基づいてＣＭ部をスキップして再生する機能を備えた映像信号再生装置を提供しようとするものである。
【００１４】
【課題を解決するための手段】
本発明の映像信号記録装置、映像信号再生装置、及び映像信号記録再生装置は、上記課題を解決するために以下の１）及び２）の手段より成るものである。
すなわち、
【００１５】
１）  予め、放送されてくるＣＭ部と本編部とを含む番組を情報記録媒体に記録する一方、前記番組のステレオモードが継続する時間が所定時間以内の場合に、その番組の経過時間に対応してＣＭ時間及び前記情報記録媒体に記録されている前記ＣＭ部のアドレス情報を記憶部に記憶し、前記情報記録媒体に記録されている番組を再生する際に、前記ＣＭ部をスキップして前記番組内容を視聴する映像信号再生装置において、
前記情報記録媒体に記録されている前記番組内容を再生する再生部と、
前記情報記録媒体に記録されている前記番組内容を所望の速度で再生する指示信号を出力する操作部と、
前記指示信号が前記番組内容を所定の再生速度以下で再生する指示信号である場合には、前記再生部に前記記憶部に記憶されている前記ＣＭ部のアドレス情報を検出して前記記憶部に記憶されている前記ＣＭ時間だけ前記ＣＭ部をスキップし、前記本編部のみを再生させるための制御信号を出力し、前記所定の再生速度を超えて再生する指示信号である場合には、前記再生部に前記本編部と前記ＣＭ部の両方を再生させるための制御信号を出力する制御部と、
を備えたことを特徴とする映像信号再生装置。
【００１６】
２）  予め、放送されてくるＣＭ部と本編部とを含む番組を情報記録媒体に記録する一方、前記番組のステレオモードが継続する時間が所定時間以内の場合に、その番組の経過時間に対応するＣＭ時間及び前記情報記録媒体に記録されている前記ＣＭ部のアドレス情報を記憶部に記憶し、前記情報記録媒体に記録されている番組を再生する際に、前記ＣＭ部をスキップして前記番組内容を視聴する映像信号再生装置において、
前記情報記録媒体に記録されている前記番組内容を再生する再生部と、
前記情報記録媒体に記録されている前記番組内容を所定時間スキップさせて再生するスキップ信号を出力する操作部と、
前記スキップ信号によりスキップして前記番組内容を再生する信号が前記ＣＭ部の途中から再生する信号である場合、或いは前記ＣＭ部に引き続いた前記本編部の先頭から所定時間経過した前記本編部の途中から再生する信号である場合には、前記記憶部に記憶されている前記ＣＭ部のアドレス情報を検出して前記記憶部に記憶されている前記ＣＭ時間に基づいて、前記ＣＭ部に引き続いた前記本編部の先頭にスキップして前記再生部に前記本編部のみを再生させるための制御信号を出力する制御部と、
を備えたことを特徴とする映像信号再生装置。
【００２０】
【発明の実施の形態】
以下、本発明の映像信号再生装置の実施の形態につき、好ましい実施例により説明する。
図１は、その実施例の関わるハードディスクに映像信号を記録し、再生するための映像信号記録装置４１を示す概略ブロック図である。
【００２１】
この映像信号記録装置４１は空中線より入来する所定の音声モードで放送されるテレビジョン信号を受信し、受信した信号を符号化するエンコーダ部５０と、そのエンコーダ部５０から供給される信号をハードディスクに記録し、またハードディスクに記録された信号を再生する記録再生部６０とより構成される。
【００２２】
そして、エンコーダ部５０はＴＶチューナ５１、音声モード識別器５２、Ａ／Ｄ変換器５３、ＭＰＥＧ−２エンコーダ５４、バッファメモリ５５、マイコン５６、及び一時記憶メモリ５７より構成され、記録再生部６０はハードディスク記録再生器６１、ハードディスク６３、及び書き込み読出し制御器６５より構成される。
【００２３】
つぎに、このように構成される映像信号記録再生装置の動作について述べる。まず、放送局から放送される本編部情報信号とＣＭ部情報信号より構成される番組信号は空中線により受信されて、ＴＶチューナ５１に供給され、ここでは無線周波数の信号よりベースバンドのビデオ信号である番組信号が復号され、その復号されたビデオ信号はＡ／Ｄ変換器５３に供給される。
【００２４】
そのＡ／Ｄ変換器５３では、供給されたビデオ信号はデジタルビデオ信号に変換され、変換されたデジタルビデオ信号はＭＰＥＧ−２（moving picture experts group -2）エンコーダ５４に供給され、ここではＩＳＯ／ＩＥＣ（International Organization Standardization / International Electrotechnical Commission）で定められるＭＰＥＧ−２方式により高能率符号化がなされ、高能率符号化された信号はバッファメモリ５５に供給されて、一時記憶され、一時記憶された信号はハードディスク記録再生器６１に供給される。
【００２５】
ハードディスク記録再生器６１に供給された信号は、ハードディスクに記録されるための記録変調などの信号処理が行われ、信号処理された信号はハードディスク６３に供給され、モード識別信号とともに記録される。
【００２６】
そのモード識別信号は、識別された音声モード信号を基に生成されるが、その音声モード信号は、ＴＶチューナ５１で復調した信号の一部が音声モード識別器５２に供給され、ステレオ放送、モノラル放送、二か国語放送といった音声モード信号が識別され、得られるものである。
【００２７】
そのようにして得られた音声モード信号はマイコン５６に供給され、ここでは音声モード情報を含むディスク管理情報が生成され、生成されたディスク管理情報は一時記憶メモリ５７に一時記憶されるとともに、所定の時間経過後その一時記憶メモリ５７に一時記憶されたディスク管理情報は前述のハードディスク記録再生器６１を介してハードディスク６３に記録される。
【００２８】
そのハードディスクに記録される信号は、セクタ構成とされる時間分割された信号である。
図２にハードディスクに記録されるＭＰＥＧ−２で符号化された信号と、そのクラスタ分割された信号の関係を示す。
【００２９】
同図において、ＭＰＥＧ−２エンコーダで符号化される信号はＧＯＰヘッダ、Ｉ（Intra）ピクチャ、複数のＰ（Predictive）ピクチャ、及び複数のＢ（Bi-directionaly-Predictive）ピクチャで構成されるＧＯＰ単位の信号として符号化されるが、その符号化された信号はセクタごとの信号に分割されてハードディスクに記録され、そのように構成される信号の様子を示したものである。
【００３０】
セクタごとに分割された信号の各々にはセクタ番号が付され、その番号の付されたセクタごとの信号は、ハードディスク６３の所定の場所に記録され、その記録された情報とセクタ番号の関係はディスク管理情報としてハードディスク６３の管理情報記録領域に記録される。
【００３１】
前述の図１に示したマイコン５６は、このように構成されるＧＯＰ単位の符号化された信号の記録位置に関する情報、及び音声モード信号の記録位置に関する情報を含む管理情報の生成を行なうが、その管理情報の生成と、生成された信号の記録について述べる。
【００３２】
即ち、マイコン５６は、ハードディスク６３の記録制御、及びエンコーダ部５０における信号系の制御を行っているが、そのＭＰＥＧ−２エンコーダ５４における信号系の制御としては、ＭＰＥＧ−２で符号化されて生成される映像、及び音声信号のビットストリームの生成に関るシーケンス制御のほかに、その符号化の単位であるＧＯＰを構成するＩ、Ｐ、Ｂのそれぞれのピクチャにおける符号化方法に関する情報がマイコン５６に供給される。
【００３３】
その情報は、ＧＯＰ全体のデータ量を示すバイト数、ＧＯＰを構成するフレーム数、各フレームのバイト数、そしてプレゼンテーションタイムスタンプなどの情報が含まれており、この様な詳細な符号化情報を管理情報として記録しておくことで、例えば特殊再生を行うときにＩフレームのみをデコードして表示するが、そのためのＩフレームの画像情報を容易に得て、目的とする特殊再生画像を生成するために効果的に利用できる。
【００３４】
そして、マイコン５６はハードディスク６３の記録、及び再生制御も行っており、さらにハードディスクに情報を記録するためのアドレス管理も行なっている。即ち、マイコン５６は、ビットストリームを構成するそれぞれのＧＯＰの信号をハードディスク６３のどの位置に記録するかを定め、そのためのＧＯＰ記録位置情報を生成している。
【００３５】
さらにマイコン５６は、各ＧＯＰに関する上述の詳細情報に、そのＧＯＰにより構成される映像信号が本編部信号であるか、ＣＭ部信号であるかのＣＭ部位置情報を付加した管理情報を生成し、その生成された管理情報を一時記憶メモリ５７に一時記憶する。
【００３６】
その一時記憶メモリ５７に一時記憶された管理情報は、所定時間毎にハードディスク６３に記録されるが、そのハードディスク６３の記録エリアは、ビットストリーム記録エリア、及び管理情報記録エリアに分かれており、ビットストリームを構成するＧＯＰの信号をビットストリーム記録エリアに記録するが、そのＧＯＰの信号を記録した後に、管理情報を一時記憶メモリ５７より読み出し、その読み出した管理情報を、管理情報記録エリアに記録するようにする。
【００３７】
以上、ハードディスク６３へのＧＯＰ信号と、管理情報の信号記録について述べたが、空中線より供給される信号が、例えばデジタル放送信号であり、すでにＭＰＥＧ−２のビットストリームを構成する信号として入来する場合には、Ａ／Ｄ変換器５３、及びＭＰＥＧ２エンコーダ５４を経由せず、ＴＶチューナ５１よりバッファメモリ５５に直接信号を供給できる。
【００３８】
その場合はＴＶチューナ５１より供給されるＭＰＥＧ−２映像音声ビットストリーム信号からＧＯＰに関する情報を得、その得られた情報をマイコン５６に供給することにより、同様の信号をハードディスク６３に記録することができる。
【００３９】
次に、このようにして記録された信号を基にＣＭ部情報を生成し、その生成されたＣＭ部情報をハードディスク６３に記録する方法について述べる。
その番組よりＣＭ部分を識別するＣＭ情報の生成はマイコン５６により行なわれ、音声モードが混在して受信されるときは、例えば５分よりも短いステレオ音声モード部分をＣＭ部とみなす方法である。
【００４０】
図３に、テレビジョン地上波放送で映画番組が受信されたときの音声モードの時間変化を示す。
同図において、Ｂと示す部分で２カ国語放送がなされ、Ｓと示す部分でステレオ放送がなされている。
【００４１】
このとき、ステレオ以外のモードからステレオに変化した時点Ｔ１で、その時の時刻をマイコン５６に接続される図示しないＲＡＭに記憶する。
次に、音声モードがステレオからそれ以外のモードに変化した時点Ｔ２との時間差を求め、その時間差が３秒以上で５分以内ならば、その部分はＣＭ部であると判定する。
【００４２】
ここで、時間差の判定を３秒以上としたのは、３秒以下の放送時間はＣＭ部としては短すぎることと、３秒以下のステレオモードは、モード信号が誤検出された可能性もあるので除外している。
【００４３】
このようにしてステレオ放送の部分をＣＭ部分として判定することができるが、判定された時点Ｔ１から時点Ｔ２の手前である（Ｔ２−１）までの符号化された映像信号、すなわちその期間に該当する符号化データＧＯＰを管理する、ＧＯＰの管理情報にＣＭ情報のフラグを立てて「ＣＭ部である」ことを識別する。
【００４４】
図４に、ＣＭ情報が判定される時間経過について示し、説明する。
同図に示す(a)は、モノラル音声モードで１０分間受信された後、時点Ｔ３でステレオモードに変わった場合である。
【００４５】
時点Ｔ４で示す現時点では、ステレオモードで受信されている時間が短いため、このステレオモードで受信されている番組がＣＭ部であるか否かの判定を確定できない。
【００４６】
さらに番組受信を継続し、同図(b)に示す様に時点Ｔ５で音声モードが再びモノラルに変わったとすると、このステレオの期間の時間（Ｔ５−Ｔ３）により前述のようにＣＭ部であることが判定出来る。
【００４７】
このようにして、番組を受信しつつ記録する場合の管理情報は、番組のビットストリームを記録している間に、数分間程度の時間分のＧＯＰに対応する管理情報をまとめて逐次ハードディスクの管理情報記録エリアに書き込むようにしているので、場合により、ＣＭ部であると判定が出来た時点で、ＣＭ部であるとマークすべきＧＯＰの管理情報は一時記憶メモリ５７には記憶されてなく、すでにハードディスク６３に記録されていることもある。
【００４８】
その場合は、すでにハードディスクに書き込まれた該当するＧＯＰの管理情報を読み出し、ＣＭ部を示すフラグを変更し、再度ハードディスクに書き込むようにする。そして、このような管理情報を変更するような動作は、映像信号ビットストリームの記録を中断することなく時分割処理によりハードディスクへの読出し、及び書き込み動作を行う。
【００４９】
なお、ここで、ＣＭ部であるか否かの判定をする方法を、受信される音声モードによる方法で述べたが、そのＣＭ部の判定はこれに限ることなく、例えば画像の相関性、音声のパターンの変化などを用いて行なう方法でもよく、また、特にデジタル放送の受信において、ＣＭ部であることを示す情報が放送信号中に含まれているときは、その放送信号からＣＭ部に関る情報部分を抽出し、その抽出したデータ部分を基に、ＣＭ部を判定するようにしてもよい。
【００５０】
そして、その様にして判定されたＣＭ部の情報はＧＯＰヘッダ情報とともに記録データを管理する管理情報として生成されるが、その場合はＭＰＥＧ−２方式に従い可変長符号化されて受信される番組信号と、比較的規則的な時間間隔で受信されるＣＭ部に関る情報信号との時間合わせが必要となる。
【００５１】
その時間合わせは、ＣＭ部信号の最初の部分はシーンチエンジと共に開始されるため、通常はＣＭ部信号は比較的早い時間より受信され、ＭＰＥＧ−２で符号化された信号の復号がなされた段階で表示時間に近い時間とされるためであり、またＣＭ部の終わりの部分はスポンサー名が静止画的に、少ない情報量の信号とされるため、符号化された映像信号は早い時間に終了され、次のシーンチエンジのなされた次の本編部信号が受信されるためでもある。
【００５２】
このように、ＭＰＥＧ−２で受信される映像信号は映像情報が有する情報の冗長度に従って、時間変動を伴いながら受信され、当然ＧＯＰヘッダーもそれと共に時間変動されながら受信される。
【００５３】
この様に、時間変動を伴うＧＯＰヘッダー信号と、ＣＭ部に関る情報信号の時間合わせが必要であるが、その時間合わせは前述の一時記憶メモリ５７、あるいはマイコン５６に接続されるＲＡＭにそのＣＭ部に関る情報信号を一時記憶しておき、ＧＯＰヘッダと同一表示時間の関係にあるＣＭ部情報を管理情報として使用するようにする。
【００５４】
以上、ＣＭ部情報とＧＯＰヘッダの時間関係について述べたが、その様にして生成される管理情報は、番組の記録終了時においても映像音声ビットストリームを記録する記録媒体と同一の記録媒体に記録する必要はなく、映像音声ビットストリームはディスク媒体に記録し、例えば管理情報はそのディスク媒体を収納する記録再生装置内の半導体メモリに記録して保存するような方法でも良く、映像音声ビットストリームとそれらのビットストリームのデータ管理を行なう管理情報はお互いに異なる記録媒体に記録してもよい。
【００５５】
次に、このようにして記録されたハードディスクを再生する映像信号再生装置について述べる。
図５は、その映像信号再生装置４２の構成を示す図である。
【００５６】
同図において、映像信号再生装置４２は、ハードディスク再生器６２、ハードディスク６３、及び読出し制御器６６よりなる記録再生部６０と、バッファメモリ７１、ＭＰＥＧ−２デコーダ７２、Ｄ／Ａ変換器７３、マイコン７４、一時記憶メモリ７５、及びリモコンインタフェース７６よりなるデコーダ部７０とより構成される。
また、その映像信号再生装置４２の周辺にはモニタＴＶ９０、及びリモコン９５が配置される。
【００５７】
次に、その様に構成される映像信号再生装置４２の動作について述べる。
ハードディスク６３には、前述の映像信号記録装置４１により映像音声ビットストリーム、およびその管理情報が記録されているが、この映像信号再生装置４２はそれらの記録された信号を再生する。
【００５８】
まず、再生すべき番組をリモコン９５のボタン操作により選定し、選定された操作内容は変調された赤外光によりリモコンインタフェース７６に供給される。リモコンインタフェースでは受信された赤外光信号が復号され、操作されたリモコンボタンの操作内容が得られ、得られた信号はマイコン７４に供給される。
【００５９】
マイコン７４は、供給されたボタン操作情報に基づき、及び予め再生して得たハードディスクの管理情報を基にハードディスク６３が再生する管理情報、及び映像音声ビットストリームの再生位置を定め、その定められた再生すべき情報の位置情報を読出し制御回路６６に供給し、ハードディスク６３の再生位置を制御しつつハードディスク６３の記録内容を再生する。
【００６０】
ハードディスク６３を再生して得られた映像音声ビットストリーム、及びその管理情報は、ハードディスク再生部６２により再生増幅、復調、及び誤り訂正などの処理がなされ、信号処理のなされた管理情報はマイコン７４に、そして映像音声ビットストリーム信号はバッファメモリ７１に供給されて、一時記憶される。
【００６１】
ＧＯＰの符号化情報を含む管理情報はマイコン７４により符号化信号の復号方法を定め、定められた復号方法に従い、所定時間バッファメモリ７１に一時記憶された映像音声ビットストリーム信号はＭＰＥＧ−２デコーダに供給され、高能率符号化された映像、及び音声信号が復号される。
【００６２】
このようにして復号された映像音声のデジタル信号は、Ｄ／Ａ変換器７３によりアナログ映像音声信号に変換され、モニタＴＶ９０に供給されて表示され、音声信号は図示しないスピーカより発音される。
【００６３】
ここで、デコーダ部７０より供給される映像、音声信号の出力方法としては、同図に示したようにアナログ映像信号、及び左右のアナログ音声信号を各々別々の端子から出力する方法はあるが、映像、音声信号の出力方法はこれに限らず、ハードディスク再生器６２より得られたビットストリームの信号を、ＭＰＥＧ−２符号化された信号をデコードすることなく、その信号をＩＥＥＥ１３９４（Institute of Eelectrical and Electronics Engineers 1394）で規定される仕様に基づく信号としてデジタル信号のまま出力する方法もある。
【００６４】
ところで、ハードディスク６３は、図示しない再生ヘッドの位置を高速に移動させて、記録媒体の再生位置を設定することができるので、映像信号記録装置４１により記録されるビットストリーム信号は、記録媒体上の連続する領域に記録するとは限らず、離れた領域に分割されて記録されることもある。
【００６５】
映像信号再生装置４２は、予めそのような連続しない領域に記録される映像音声ビットストリームの記録位置情報を得て再生動作を行うが、映像信号記録装置４１はＧＯＰ情報を管理情報中に記録し、この管理情報を読み出すことにより、連続して復号すべきＧＯＰの記録位置がわかるようにされている。
【００６６】
ここでは、ハードディスク再生器より得られる管理情報はマイコン７４に供給され、マイコン７４はその供給された管理情報を基にハードディスクの再生位置を読出し制御器に供給し、ハードディスクは読出し制御器により制御され、所望の映像音声ビットストリームが再生される。
【００６７】
以上、映像信号再生装置４２の構成と動作について述べたが、映像信号再生装置４２は映像信号記録装置４１と組み合わせて映像信号記録再生装置として構成できる。
図６に、その映像信号記録再生装置の構成を示す。
【００６８】
同図に示す映像信号記録再生装置４０は、エンコーダ部５０、記録再生部６０、及びデコーダ部７０より構成され、この装置における映像音声ビットストリーム、及び管理情報は、前述と同様の方法で記録され、再生される。
【００６９】
そして、バッファメモリ５５には、ハードディスク６３に記録する映像音声ビットストリーム信号を一時記憶すると共に、バッファメモリ７１には、ハードディスク６３から再生された映像音声ビットストリーム信号を一時記憶することで、ハードディスク記録再生器６１、及びハードディスク６３の信号レートを高速化することができ、即ち記録信号、及び再生信号を時分割で高速に書き込み、及び読み出しすることにより、実質上記録と再生を同時に行うことができている。
【００７０】
それは、前述のヘッド移動の高速性により、ディスク上の離れた位置での信号の記録と再生が実質上同時に行えるもので、この機能によりいわゆる後追い再生が可能となる。
そして、後追い再生、及びやキャッシュ録再などの記録と再生を同時に行う動作は、再生すべき場所の管理情報がまだハードディスクに記録されていないこともあり、その場合は一時記憶メモリ５７に蓄積されている管理情報を読み出して、記録信号の再生を行う。
【００７１】
この様に、記録と再生を同時に行う場合のＣＭ情報蓄積手段として、ハードディスク媒体６３、又は一時記憶メモリ５７のいずれかを用い、再生時におけるＣＭスキップに対するＣＭ情報の参照を行なう。
【００７２】
そして、キャッシュ録再のように、記録される映像音声ビットストリームの容量が限定されており、ハードディスクにビットストリームを記録した直後に、再生するようなビットストリームの記録保存を目的としない場合には、管理情報は一時記憶メモリ５７にのみ蓄積し、ハードディスク６３に記録しないようにしてもよい。
【００７３】
この様して、記録、又は記憶された管理情報にＣＭ部情報が含まれることにより、そのＣＭ部の位置情報を得て、映像音声ビットストリームの再生をＣＭスキップにより行うことが出来る。すなわち、そのＣＭ部位置情報により、再生しようとするＧＯＰがＣＭ部であるとされるときは、そのＧＯＰの再生を省略し、次のＧＯＰの管理情報を調べる。
【００７４】
そして、ＣＭ部であることが示されてないＧＯＰの管理情報が得られたときは、その管理情報に基づくＧＯＰの再生を行う。そのようにして、ＣＭ部が始まる直前のＧＯＰから、ＣＭ部をスキップし、ＣＭ部を終了した後のＧＯＰの位置情報を得て本編部の映像音声ビットストリームを再生するが、ＣＭ部のＧＯＰがどこまでであるかを調べる動作は、単にＣＭ部フラグを調べることによりなされる。
【００７５】
そのＣＭ部フラグの調査は、予め読み込んだＧＯＰの管理情報をマイコン７４により調べることにより、短時間で行うことができるため、再生される映像音声信号は途切れることなく、連続的に再生することが出来る。
【００７６】
そして、また、映像音声ビットストリームの記録時に、ＣＭ部が確定され次第、ＣＭ情報を含む管理情報を逐次書き替えるため、記録されたビットストリームのキャッシュ録再、及び追いかけ再生時においても、リモコンボタンによりＣＭスキップが指定されたときは、管理情報に書き込まれたＣＭ部情報を用いて、ＣＭスキップを行うことができる。
【００７７】
そのＣＭ部情報は、ＧＯＰの記録位置を示すＧＯＰ情報とともに管理情報に書き込まれており、再生時にはその管理情報を参照しつつ再生すべきＧＯＰの記録位置を特定するので、そのとき、同時にＣＭ部情報を得ることができている。
【００７８】
そして、前述の図４(a)に示したＣＭ部が判定されていない記録個所を後追い再生するような場合を除き、ＣＭ部分にはＣＭ部であることを示すフラグが立てられいるため、そのＣＭ部情報を用い、ＣＭスキップを行うことが可能である。
【００７９】
さらに、そのＣＭスキップは、映像の再生速度がスロー再生、高速再生、逆方向再生である特殊再生時においてもＣＭスキップを行うことが出来る。そして、特殊再生時に、リモコンボタンによりＣＭスキップが操作されたときは、その再生速度が、例えば３倍速以下の再生速度の場合にはＣＭスキップを行い、３倍速を超えるときはＣＭスキップを行わないようにする。
【００８０】
その、再生速度に応じて適応的にＣＭスキップを行い、又は行わない様にするのは、早送り再生時において、ある程度以下の再生速度の場合は、視聴者は番組内容を見る時間を短縮し、短時間に番組内容を視聴しようとするが、所定速度以上の高速再生の場合は、番組中の見たいシーンを探す、あるいは番組の構成を把握する目的で視聴する場合が多いからである。
【００８１】
従って、再生速度が比較的遅い場合にはＣＭスキップを行なう方が視聴し易く、再生速度が速い場合は、むしろＣＭ部を再生した方が番組構成を把握しやすいなど、視聴者はＣＭ部を基に見たい場所を探すことができ、ＣＭ部は高速で短時間に再生されるため、あえてＣＭスキップを行わないほうが望ましいことになる。
【００８２】
以上、高速再生時の再生速度に応じてＣＭスキップを行う、又は行わない機能を設定する映像信号の記録、再生について述べたが、このようなＣMスキップの方法は、上述のようなハードディスクを用いる記録装置におけるＣＭ部情報の記録装置に限らなく、従来の映像信号記録再生装置において、又他の記録媒体を用いる映像信号記録再生装置においても、番組記録終了後にＣＭ部の位置情報を媒体に一括記録し、その媒体の再生をＣＭスキップにより行なう応用ができることは勿論である。
【００８３】
さて、次に、ボタン操作によるＣＭスキップの方法について述べる。
視聴者のボタン操作によるＣＭスキップとして、リモコン９５の所定のボタンを操作することにより、所定の再生時間分の記録個所をスキップして再生する方法がある。
【００８４】
この方法は、そのボタンを一回操作すると、たとえば２７秒分の再生部分をスキップし、ｎ（但しｎは２以上の整数）回続けて操作すると２７＋３０×（ｎ−１）秒分の記録個所の再生をスキップすることにより、通常３０秒の整数倍の期間で挿入されるＣＭ部の記録部分をスキップして再生するものである。
【００８５】
ここで、再生スキップする時間が３０×ｎでなく、最初のスキップ時間が２７秒であるのは、視聴者が、番組がＣＭ部を再生していることを認識してボタン操作を行うまでに要する操作の遅延を考慮したものである。
【００８６】
このような視聴者のボタン操作によるＣＭスキップの方法は、ＣＭ部の映像を視聴者が視聴を希望するとき、またはＣＭ部再生中に、例えば他の放映中の番組をチャンネルホッピングにより覗き見したいとき、あるいは早く本編部の続き再生したいときなど多種多様であるので、一律にＣＭ部をスキップせずに視聴者の希望に応じた再生動作を行うために有効である。
【００８７】
そして、視聴者の希望に応じた適応的なＣＭスキップの場合も、前述の各ＧＯＰごとにＣＭ部であるか、否かの情報を、ＧＯＰの管理情報とともに管理情報記録部に記録し、その記録されたＣＭ部情報を再生しつつＣＭスキップの動作を行なうことができる。
【００８８】
その動作は、所定のＣＭスキップボタンが操作されたとき、再生中の番組がＣＭ部分であり、かつ操作された回数により予め設定された再生スキップ時間分の番組をスキップして再生するが、その再生スキップによりＣＭ部を超えて本編部の開始位置を過ぎた位置より再生を開始することのないように、管理情報内のＣＭ部情報をマイコンにより監視し、ＣＭ部が終了した時点より再生を開始する様にするものである。
【００８９】
このように、ＣＭスキップボタンが操作されたときは、視聴者が操作したＣＭスキップに関る時間よりも記録されているＣＭ部期間が短かいときにでも、ＣＭ部の次に記録される本編部の開始位置より再生を行うようにする。
【００９０】
それとは反対の場合で、視聴者が操作したＣＭ部期間よりも記録された番組のＣＭ部期間が長く、操作されたＣＭ部期間よりも長い時間のＣＭ部が記録されているときは、スキップする期間をＣＭ部が終了する時間までの期間とし、次の本編部が開始される位置より再生動作をさせても良い。
【００９１】
このようにして、ＣＭスキップボタンが操作された時点での番組がＣＭ部であれば、視聴者が操作したスキップボタンの操作回数によらず、再生が開始されたＣＭ部のＣＭ期間が終了するまでの期間を自動的にスキップするようにすることが出来る。
【００９２】
ところで、その自動的に行なわれるＣＭスキップの動作は、本編部の後に記録されるＣＭ部分を殆ど再生せず、次の本編部を直ちに再生する例について説明したが、ＣＭ期間を自動的に高速で早送り再生したり、ＣＭ期間前の本編映像をフェードアウトしたのちＣＭ期間後の本編部映像をフェードインにより再生する方法がある。
【００９３】
さらには、ＣＭ部の代わりに本装置内で生成したイメージ映像や、再生中の番組に関するタイトル情報等を含む画像を数秒間表示する方法もあり、タイトル画像は本編部の最初の位置に記録されるものを用いるようにする方法もある。
【００９４】
このような、ＣＭ部の個所に編集された映像、あるいは他の関連する映像を挿入して表示する方法は、現在、一般的に行なわれている本編部の番組制作において、ＣＭ部の後に視聴者が番組内容を思い出すための、ＣＭ部直前の短い期間分の映像音声を再度ＣＭ部直後に挿入し、繰り返し表示させる場合が多いことに関して有効である。
【００９５】
それは、ＣＭ部の直後に、ＣＭ部の直前の映像を再記録してある映像を、ＣＭスキップにより視聴すると、ＣＭ部直前、及びＣＭ部直後の同じ内容の映像が繰り返されて表示されることとなり、視聴者に違和感を与えることとなるが、そのＣＭスキップにより生じる違和感を軽減するためにフェードイン、フェードアウト処理、またタイトル画などの異なる映像の挿入は効果的である。
【００９６】
以上、管理データに記録されるＣＭ部情報を基にＣＭスキップを行う映像信号記録装置、映像信号再生装置、及び映像信号記録再生装置について述べた。
ここで、映像信号記録装置と映像信号再生装置の設置場所であるが、これらは隣接して設置してもよく、また離れた場所に設置してもよい。
【００９７】
そして、映像信号記録装置と映像信号再生装置は記録再生部を共通化して映像信号記録再生装置を構成できるが、その中のエンコーダ部５０と記録再生部６０を一体化し、その一体化したものをホームサーバーとして家庭内に設置し、そのホームサーバーにデコーダ部７０をホームネットワークで接続し、そのデコーダ部をモニタテレビの設置される部屋ごとに、複数のセットトップボックスとして設置するように構成する方法もある。
【００９８】
この場合、そのホームサーバーはビットストリーム送出装置として、セットトップボックスはビットストリーム受信端末として構成され、両者は高速無線ＬＡＮ、あるいはホームＬＡＮなどにより結合され、双方向通信を行いながらハードディスクに記録される映像信号情報が各部屋からの操作命令により、目的とするビットストリームが視聴者の操作するセットトップボックスを介して、視聴するモニタＴＶに供給され、復号されたビデオ信号が表示されるようにされる。
【００９９】
このように、離れた場所に送信端末と受信端末としての記録装置とデコーダ部を設置し、通信手段で結合して動作させる場合は、複数の送信端末と、複数の受信端末がネットワークで結合されて動作させるように構成されるものである。
【０１００】
さらに、記録再生部に用いられる記録媒体はハードディスクを中心として述べたが、記録媒体は高速アクセスが可能な媒体、例えば光磁気ディスク、ＲＡＭ形、又はＲＷ形のＤＶＤ、そして半導体メモリ形記録媒体であっても構わない。
【０１０１】
また、放送波を受信してハードディスクに記録する装置について述べたが、伝送の形式は電波によるほか同軸ケーブル、光ケーブルを用いるＣＡＴＶ、更には電話線を用いるｘＤＳＬ、ＩＳＤＮによるインターネット放送であっても構わない。
【０１０２】
そのときは動画による配信のみならず、音声のみの情報による伝送、またコンピュータ用ゲームプログラム、静止画情報など、これらのコンテンツの配信中にＣＭが挿入され、そのＣＭの挿入に対応するモード信号があるときは、ここに開示した技術を用いてＣＭスキップを行なうことが出来る。
【０１０３】
以上、ＭＰＥＧ−２方式を例としてＧＯＰヘッダの位置にＣＭ部位置情報を挿入する構成について説明したが、圧縮符号化の方法はこれに限らず、俗にモーションＪＰＥＧと呼ばれるフレーム内符号化による方法、あるいはＭＰＥＧ−４方式、ＭＰＥＧ−７方式、これから規格化の開始されるＭＰＥＧ−２１方式、その他フラクタルの圧縮手法を用いるものなどであってもよい。
【０１０４】
そして、ＭＰＥＧ−２方式の場合は画像信号の符号化パラメータの管理をＧＯＰヘッダとともに行なうため、ＣＭ部情報フラグの管理をＧＯＰ単位で行なう方法として述べたが、符号化の方法が異なれば符号化パラメータの管理方法も異なる。
【０１０５】
そのような場合は、扱われる符号化パラメータの単位と同一の画像単位を用いてＣＭ部情報フラグの管理を行なえば、少ないアクセス回数でＣＭ部情報フラグを調べることができ、前述と同様の効果を有する。
【０１０６】
【発明の効果】
請求項１記載の発明によれば、本編部及びＣＭ部で構成される番組を情報信号記録媒体に記録するとともに、その番組と同時に受信される例えば音声モード信号、又はＣＭ部に関る情報信号を情報信号記録媒体、又は情報一時記憶手段に書きこみ、その書き込まれたＣＭ部情報信号を基に行う記録された情報信号の再生は、ＣＭスキップ機能設定手段によりＣＭスキップが設定され、且つその情報信号記録媒体の再生速度が標準速度と異なる再生速度が指定されて行なわれる場合であっても、情報信号記録媒体に記録されるＣＭ部位置情報を得、その得られた時間情報を基に記録された番組のうち本編部のみの情報を、ＣＭ部をスキップしながら標準速度以外の速度で再生するに際し、高速である再生速度が指定されてなされる場合は、ＣＭ部をスキップせずに高速な再生速度による本編部及びＣＭ部の再生を行なうため、ＣＭ部情報は番組の中で番組識別信号として有効に働き、効果的に番組の所定個所を探し出せる映像信号再生装置を構成することができる効果がある。
【０１０７】
また、請求項２記載の発明によれば、本編部及びＣＭ部で構成される番組を情報信号記録媒体に記録するとともに、その番組と同時に受信される例えば音声モード信号、又はＣＭ部に関る情報信号を情報信号記録媒体、又は情報一時記憶手段に書きこみ、その書き込まれたＣＭ部情報信号を基に行う記録された情報信号の再生は、ＣＭスキップ操作手段により所定時間分の記録信号がスキップされて再生される場合、情報信号記録媒体に記録されるＣＭ部位置情報を得、その得られた時間情報に基づいて、ＣＭスキップ操作により指定されるＣＭスキップ時間が情報信号記録媒体に記録されているＣＭ部よりも長いときは指定されたＣＭスキップ時間よりも短い期間のスキップを行ない、本編部の開始される位置より、又ＣＭスキップ時間が情報信号記録媒体に記録されているＣＭ部よりも短いときは指定されたＣＭスキップ時間よりも長い期間のスキップを行ない、本編部の開始される位置より本編部のみの情報を、ＣＭ部をスキップしながら再生するようにし、ＣＭ部の映像を視聴者が視聴を希望する場合をも含め、一律にＣＭ部をスキップせずに視聴者の希望に応じた再生動作を行う映像信号再生装置を構成することができる効果がある。
【図面の簡単な説明】
【図１】本発明の実施例に係る映像信号記録装置の概略ブロック図である。
【図２】本発明の実施例に係る記録領域におけるクラスタ、ＧＯＰ、及びＧＯＰヘッダの関係を示す図である。
【図３】本発明の実施例に係る異なる音声モードで受信されるＣＭ部と本編部の時間関係を示した図である。
【図４】本発明の実施例に係る異なる音声モードで受信されるＣＭ部と本編部の時間関係を示した図である。
【図５】本発明の実施例に係る映像信号再生装置の概略ブロック図である。
【図６】本発明の実施例に係る映像信号記録再生装置の概略ブロック図である。
【符号の説明】
４０  映像信号記録再生装置
４１  映像信号記録装置
４２  映像信号再生装置
５０  エンコーダ部
５１  ＴＶチューナ
５２  音声モード識別器
５３  Ａ／Ｄ変換器
５４  ＭＰＥＧ−２エンコーダ
５５  バッファメモリ
５６  マイコン
５７  一時記憶メモリ
６０  記録再生部
６１  ハードディスク記録再生器
６２  ハードディスク再生器
６３  ハードディスク
６５  書き込み読み出し制御器
６６  読み出し制御器
７０  デコーダ部
７１  バッファメモリ
７２  ＭＰＥＧ−２デコーダ
７３  Ｄ／Ａ変換器
７４  マイコン
７５  一時記憶メモリ
７６  リモコンインタフェース
９０  モニタＴＶ
９５  リモコン
【図１】
0003794257.tif 000002
【図２】
0003794257.tif 000003
【図３】
0003794257.tif 000004
【図４】
0003794257.tif 000005
【図５】
0003794257.tif 000006
【図６】
0003794257.tif 000007